Podtech/llm-jp-corpus-v4-ja_patent huggingface dataset:
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
パーソナル・ディスプレイ・デバイスのための回折導波路要素であって、前記要素は、
導波路平面内で延在するディスプレイ導波路（１０）と、
前記ディスプレイ導波路（１０）上又は前記ディスプレイ導波路（１０）内に配置され、光線を前記ディスプレイ導波路（１０）内に回折し結合するための入力結合回折光学要素（３１）であって、結合された前記光線は、前記ディスプレイ導波路（１０）内で伝搬ホップ長をもって伝搬する、入力結合回折光学要素（３１）と、
前記ディスプレイ導波路（１０）上又は前記ディスプレイ導波路（１０）内に配置され、前記ディスプレイ導波路（１０）から回折し結合された前記光線を結合するための出力結合回折光学要素（３３）と、
前記出力結合回折光学要素（３３）の上流の光線増倍要素（１２Ａ、１２Ｂ、１２Ｃ）と
を備え、
前記光線増倍要素（１２Ａ、１２Ｂ、１２Ｃ）は、前記入力結合回折光学要素（３１）に入射する光線を、前記導波路平面内でその少なくとも１次元で空間的に変位された複数の平行光線に分割することができ、前記入射光の伝搬方向の前記複数の平行光線の密度は、ホップ長より高く、
前記光線増倍要素（１２Ａ、１２Ｂ、１２Ｃ）は、前記ディスプレイ導波路（１０）の厚さより薄い厚さを有し、前記入力結合回折光学要素（３１）の上流に配置され、前記入力結合回折光学要素（３１）に整列する増倍導波路を備え、或いは
前記光線増倍要素（１２Ａ、１２Ｂ、１２Ｃ）は、前記ディスプレイ導波路の対向面上に配置され、且つ前記入力結合回折光学要素（３１）によって前記導波路内に回折する前記光の伝搬経路上に配置された２つの回折格子（１４Ａ、１４Ｂ）を有する前記ディスプレイ導波路内のゾーンであり、前記入力結合回折光学要素（３１）によって前記ディスプレイ導波路（１０）内で結合された前記光線を分割するために、前記入力結合回折光学要素（３１）の下流に配置されている、回折導波路要素。
【請求項２】
前記光線増倍要素（１２Ａ、１２Ｂ、１２Ｃ）は、入射光線を、少なくとも２つ、例えば少なくとも４つの、前記ホップ長内の変位されたビームに増倍するように構成される、請求項１に記載の要素。
【請求項３】
前記光線増倍要素（１２Ａ、１２Ｂ、１２Ｃ）は、前記入力結合回折光学要素（３１）に入射する各光線を、２次元の複数の平行光線に分割するように構成される、請求項１又は２に記載の要素。
【請求項４】
前記光線増倍要素（１２Ａ、１２Ｂ、１２Ｃ）は、前記入射光線の所定の入射角より大きい前記光線のみを分割するように構成される、請求項１から３までのいずれかに記載の要素。
【請求項５】
前記光線増倍要素（１２Ａ、１２Ｂ、１２Ｃ）は、少なくとも２つの異なる増倍率を、それぞれ、前記入射光線の少なくとも２つの異なる入射角に提供するように構成される、請求項１から４までのいずれかに記載の要素。
【請求項６】
回折導波路ディスプレイであって、前記回折導波路ディスプレイは、
請求項１から５までのいずれかに記載の回折導波路要素と、
複数のレーザー光線を前記入力結合回折光学要素（３１）に投影するように構成される画像プロジェクタと
を備え、前記光線は、前記光線増倍要素（１２Ａ、１２Ｂ、１２Ｃ）内で空間的に増倍される、回折導波路ディスプレイ。
【請求項７】
前記画像プロジェクタは、レーザー・プロジェクタである、請求項６に記載のディスプレイ。
【請求項８】
前記レーザー・プロジェクタは、前記複数の光線を異なる角度で前記入力結合回折光学要素に提供するための微小電気機械ミラーを備える、請求項７に記載の回折導波路ディスプレイ。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
加圧ガス源と流体的に結合し、一次ガス導管に沿って加圧ガスの流れを導くように構成された加圧ガス受入れ部であって、前記一次ガス導管は、前記一次ガス導管内を流れるガスの流速及び圧力を低減する調整器を含む、加圧ガス受入れ部と、
前記一次ガス導管に流体的に結合され、前記一次ガス導管から二次ガス導管へのガスの流れを制御するように構成されたガス流バルブと、
前記二次ガス導管内を流れるガスの流速及び圧力を低減するように構成される、前記二次ガス導管内の流れ制限器と、
針であって、前記二次ガス導管に流体的に結合され、加圧ガスを前記針の遠位端に送達するように構成された針ガス導管を含み、飲料の流れを前記針の前記遠位端から分配出口へ導くように構成された針飲料導管をさらに含む針と、を備える飲料分配器。
【請求項２】
前記流れ制限器が０．２ｍｍ〜０．４ｍｍのサイズのオリフィスを有する、請求項１に記載の分配器。
【請求項３】
前記流れ制限器が０．７Ｌ／分〜５Ｌ／分の流速を提供するように構成される、請求項１に記載の分配器。
【請求項４】
前記一次ガス導管、ガス流バルブ、及び二次ガス導管を収容する本体をさらに備え、前記針は前記本体の一部から延びる、請求項１に記載の分配器。
【請求項５】
前記加圧ガス受入れ部が、加圧ガスシリンダのキャップを穿孔するように構成された穿孔ランスを含み、第二の流れ制限器が前記穿孔ランスと一体化される、請求項１に記載の分配器。
【請求項６】
前記調整器が調整器バルブを含み、そのピストンは前記ピストンの内側のガス圧力と前記ピストンの外側に及ぼされたばね力とに基づいて前記調整器バルブを開閉するように移動可能である、請求項１に記載の分配器。
【請求項７】
前記一次ガス導管、ガス流バルブ、及び二次ガス導管を収容する本体をさらに備え、前記本体の向きに基づいて前記ガス流バルブの動作を自動的に制御するように構成されたコントローラをさらに備える、請求項１に記載の分配器。
【請求項８】
前記針ガス導管が前記針飲料導管の内側に位置付けられる、請求項１に記載の分配器。
【請求項９】
前記針ガス導管が加圧ガスを前記針の最遠位先端まで送達し、前記針飲料導管が、前記針の前記最遠位先端の近位に位置付けられた１つ又は複数の飲料入口開口部を有する、請求項１に記載の分配器。
【請求項１０】
前記一次ガス導管、ガス流バルブ、及び二次ガス導管を収容する本体をさらに備え、前記針が前記本体の一部から延び、前記本体が使用者が握ることができるハンドルを含み、前記分配出口が飲料を分配するために前記本体から延びる管を含む、請求項１に記載の分配器。
【請求項１１】
飲料容器の開口部と係合するように構成され、遠位端から近位端まで延びる通路を有するストッパをさらに備え、前記ストッパは前記通路の前記遠位端と近位端の間に位置付けられたシールをさらに含み、前記シールは前記針の前記遠位端を前記通路の前記遠位端を越えて位置付けるように前記針が前記通路に挿入されている状態で前記針と密封係合するように構成される、請求項１に記載の分配器。
【請求項１２】
前記ストッパが、前記シールに対して近位に前記通路内に位置付けられた隔壁シールをさらに含み、前記隔壁シールは前記通路を通る流体の流れに抵抗するように構成され、また前記針を前記通路に挿入することを可能にするように構成される、請求項１１に記載の分配器。
【請求項１３】
前記ストッパが、前記通路の前記近位端で流体の流れに対して前記通路を閉鎖するように構成されたキャップをさらに含む、請求項１１に記載の分配器。
【請求項１４】
前記ストッパが、前記容器の前記開口部内に挿入されるように構成された挿入部分をさらに含み、前記挿入部分は、異なるサイズの容器開口部と係合し且つ前記ストッパと前記容器開口部との間の空間内の流体の流れに抵抗するために前記挿入部分から半径方向外側に延びる１つ又は複数のリブを含む、請求項１１に記載の分配器。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
検査ラインシステムであって、
ユーザーインターフェースおよびカメラと通信するプロセッサを含み、
前記プロセッサは、検査段階において、検査ライン上の検査されるアイテムの画像から、前記検査されるアイテムに欠陥があるかまたは欠陥がないかを決定し、
前記システムは、前記プロセッサが、
前記検査されるアイテムと同じタイプの欠陥のないアイテムの画像を分析し、
前記分析に基づいて、前記検査段階の前に、前記ユーザーインターフェースを介してユーザーに指示を提供する信号を生成し、それによって前記ユーザーのフラストレーションを回避することができることを特徴とする、システム。
【請求項２】
前記プロセッサは、前記欠陥のないアイテムの前記画像から、前記欠陥のないアイテムの組成特性を分析することができる、請求項１に記載のシステム。
【請求項３】
前記プロセッサは、前記欠陥のないアイテムが遠近歪みを示さない空間範囲を決定することができる、請求項２に記載のシステム。
【請求項４】
前記プロセッサは、前記欠陥のないアイテムの画像の位置合わせを分析することができる、請求項２に記載のシステム。
【請求項５】
前記プロセッサは、
同じタイプの欠陥のないアイテムの新しい画像において誤検知が検出されない確率を計算し、
前記確率に基づいて、前記信号を生成することができる、請求項１に記載のシステム。
【請求項６】
前記プロセッサは、前記カメラの視野内に同じタイプまたは同じタイプの検査されるアイテムを配置するようにという指示を前記ユーザーに表示する信号を生成することができる、請求項１に記載のシステム。
【請求項７】
前記プロセッサは、同じタイプのアイテムが検査できないことを示す通知を前記ユーザーに提示する信号を生成することができる、請求項１に記載のシステム
【請求項８】
前記プロセッサは、前記カメラの視野内に、同じタイプの欠陥のないアイテムの位置または向きに関する指示を前記ユーザーに表示する信号を生成することができる、請求項１に記載のシステム。
【請求項９】
前記プロセッサは、前記欠陥のないアイテムの前記画像における関心領域を調整するようにという指示を表示する信号を生成することができる、請求項１に記載のシステム。
【請求項１０】
前記プロセッサは、前記欠陥のないアイテムが静的であることを確認するようにという指示を表示する信号を生成することができる、請求項１に記載のシステム。
【請求項１１】
前記プロセッサは、前記検査されるアイテムと同じタイプの欠陥のないアイテムの画像を、欠陥のないアイテムの画像を互いに比較することによって分析して、前記分析に基づいて、前記ユーザーに指示を提供する信号を生成し、自動的に前記検査段階に切り替えることができる、請求項１に記載のシステム。
【請求項１２】
前記プロセッサは、同じタイプの欠陥のないアイテムの前記新しい画像において誤検知が検出されない確率に基づいて、前記検査段階に自動的に切り替える信号を生成することができる、請求項５に記載のシステム。
【請求項１３】
前記ユーザーへの指示は、検査モードに切り替えるための前記ユーザーへの通知を含む、請求項１に記載のシステム。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
流体を受容するための空洞を形成するために、振動変換器と、前記振動変換器から隔置された反射器と、を使用して、粘弾性流体の材料特性を決定する方法であって、
前記空洞内に波を生成するために、前記振動変換器を振動させるステップであって、前記波が前記振動変換器の表面から前記空洞内の流体を通って伝搬する、ステップと、
前記空洞内に対向伝搬波を生成するために、前記振動変換器の前記表面から伝搬される前記波を、前記反射器によって反射させるステップと、
前記振動変換器で生成された前記波と、前記反射器で生成された前記対向伝搬波と、の組合せに基づいて、前記反射器によって前記振動変換器に戻されたエネルギーの表示を決定するステップと、
前記振動変換器に戻されたエネルギーの前記決定された表示に基づいて、前記流体の１つ又は複数の材料特性を決定するステップと、を含む方法。
【請求項２】
前記流体の前記１つ又は複数の材料特性が、前記振動変換器に戻されたエネルギーの前記決定された表示と、粘弾性モデルと、に基づいて決定される、請求項１に記載の方法。
【請求項３】
前記反射器によって前記振動変換器に戻されたエネルギーの前記決定された表示が、前記振動変換器の品質係数である、請求項１又は２に記載の方法。
【請求項４】
ゼロ剪断粘度が、前記決定された品質係数と粘弾性モデルとを使用して決定され、前記粘弾性モデルが、前記決定された品質係数と前記ゼロ剪断粘度とに関係する、請求項３に記載の方法。
【請求項５】
前記粘弾性モデルが、増加する品質係数と共に増加するゼロ剪断粘度を提供する、請求項４に記載の方法。
【請求項６】
前記流体の分子量が、前記決定された品質係数と前記粘弾性モデルとを使用して決定され、前記粘弾性モデルが、前記決定された品質係数と前記流体の前記分子量とに関係する、請求項３に記載の方法。
【請求項７】
前記粘弾性モデルが、増加する品質係数と共に増加する分子量を提供する、請求項６に記載の方法。
【請求項８】
前記品質係数が、周波数帯域幅、振幅、及び、対数減衰率のうちの１つを使用して決定される、請求項３〜７のいずれか一項に記載の方法。
【請求項９】
前記反射器によって前記振動変換器に戻されたエネルギーの前記決定された表示が、前記振動変換器の前記共振周波数である、請求項１又は２に記載の方法。
【請求項１０】
前記反射器によって前記振動変換器に戻されたエネルギーの前記決定された表示が、前記空洞内の前記対向伝搬波から生じる前記振動変換器の共振周波数の変化である、請求項９に記載の方法。
【請求項１１】
ゼロ剪断粘度が、前記周波数及び粘弾性モデルを使用して決定され、前記粘弾性モデルが、前記周波数及びゼロ剪断粘度に関係する、請求項９又は１０に記載の方法。
【請求項１２】
前記粘弾性モデルが、前記振動変換器の前記共振周波数が減少するときに、増加するゼロ剪断粘度を提供する、請求項１１に記載の方法。
【請求項１３】
前記粘弾性モデルが、前記振動変換器の前記共振周波数が増加するときに、増加するゼロ剪断粘度を提供する、請求項１１に記載の方法。
【請求項１４】
前記流体の分子量が、前記決定された周波数の変化と粘弾性モデルとを使用して決定され、前記粘弾性モデルが、前記決定された周波数の変化と前記流体の前記分子量とに関係する、請求項９又は１０に記載の方法。
【請求項１５】
前記粘弾性モデルが、前記振動変換器の前記共振周波数が減少するときに、増加する分子量を提供する、請求項１３に記載の方法。
【請求項１６】
前記流体が、ポリマーメルトなどのポリマー流体である、請求項１〜１５のいずれか一項に記載の方法。
【請求項１７】
前記振動変換器によって前記空洞内に生成される前記波が、剪断波である、請求項１〜１６のいずれか一項に記載の方法。
【請求項１８】
前記振動変換器によって前記空洞内に生成される前記波が、圧縮波である、請求項１〜１６のいずれか一項に記載の方法。
【請求項１９】
前記振動変換器が、管であり、前記管の内面が前記振動表面及び反射器の両方を実現する、請求項１〜１８のいずれか一項に記載の方法。
【請求項２０】
前記反射器は、反射効率を低減するために、前記空洞内部にフラストレート面を具備する、請求項１〜１９のいずれか一項に記載の方法。
【請求項２１】
前記反射器の位置は、位相調整を実現するために、前記振動変換器に対して変調される、請求項１〜２０のいずれか一項に記載の方法。
【請求項２２】
振動変換器及び反射器と共に使用するためのデバイスであって、前記デバイスは、前記振動変換器と、前記振動変換器から隔置された前記反射器と、を使用して、前記振動変換器及び前記反射器間に流体を受容するための空洞を形成するために、流体の１つ又は複数の材料特性を決定するためのものであり、前記空洞内に波を生成するために振動する振動変換器に基づいて、前記波が、前記振動変換器の表面から前記空洞内の流体を通って伝搬し、前記振動変換器の前記表面から伝搬される前記波が、前記空洞内に対向伝搬波を生成するために前記反射器によって反射され、前記デバイスは、
前記振動変換器で生成された前記波と、前記反射器で生成された前記対向伝搬波と、の組合せに基づいて、前記反射器によって前記振動変換器に戻されたエネルギーの表示を決定し、
前記振動変換器に戻されたエネルギーの前記決定された表示に基づいて、前記流体の１つ又は複数の材料特性を決定する、
ように構成される、デバイス。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
エアロゾル発生装置で使用するカートリッジであって、
閉端、開端、および前記閉端と前記開端との間のハウジングの周りに円周方向に配置された複数の開口部を画定するハウジングと、
前記閉端の前記ハウジング内に配置された組成物であって、ニコチンを含む組成物と、
前記ハウジング内に配置された流れ制御装置であって、
近位端と、遠位端と、前記遠位端と前記近位端との間の内部空気流通路を含み、
前記近位端が、前記遠位端より前記ハウジングの前記開端に近い、流れ制御装置と、
前記流れ制御装置の外部と前記ハウジングの内部との間のシールであって、前記ハウジングの前記開端と前記ハウジングの前記開口部との間にある、シールと、
前記流れ制御装置の前記外部の一部分と前記ハウジングの前記内部との間のチャネルであって、前記開口部と連通し、ユーザーが前記ハウジングの前記開端を吸込んだ時、前記チャネルが吸込まれた空気を前記複数の開口部を通して前記カートリッジ内に、前記閉端のニコチンを含む前記組成物に向かって方向付け、前記空気が前記組成物を加熱することによって発生したエアロゾルを閉じ込め得、前記エアロゾルを閉じ込めた空気がその前記流れ制御装置の前記内部空気流通路を通って前記遠位端から前記近位端に、そして前記開端の前記カートリッジの外へと流れる、チャネルと、を含む、カートリッジ。
【請求項２】
前記チャネルが、前記チャネルの長さを延ばす側壁を含む、請求項１に記載のカートリッジ。
【請求項３】
前記複数の開口部が前記ハウジングを囲む、請求項１または請求項２に記載のカートリッジ。
【請求項４】
前記空気流通路が、前記近位端と前記遠位端との間に第一の部分を含み、前記第一の部分が前記遠位端から前記近位端に向かって減少する断面積を有する、請求項１〜３のいずれか１項に記載のカートリッジ。
【請求項５】
前記空気流通路が、前記第一の部分より前記近位端に近い第二の部分をさらに含み、前記空気流通路の前記第二の部分が、前記遠位端から前記近位端に向かって増加する断面積を有する、請求項４に記載のカートリッジ。
【請求項６】
流れ制御装置および前記ハウジングが別個の部品である、請求項１〜５のいずれか１項に記載のカートリッジ。
【請求項７】
前記流れ制御装置が前記ハウジングに取り外し可能に固定可能な、請求項６に記載のカートリッジ。
【請求項８】
前記流れ制御装置の前記外部と前記ハウジングの前記内部との間の前記シールが、前記流れ制御装置と前記ハウジングとの間の締まりばめを含む、請求項６に記載のカートリッジ。
【請求項９】
前記ハウジングが、第一の部品および第二の部品を含み、前記第一の部品が前記第二の部品を保持するように構成されたマウスピースを含み、前記第二の部品がニコチンを含む前記組成物を含む、請求項１〜８のいずれか１項に記載のカートリッジ。
【請求項１０】
前記第一の部品が前記流れ制御装置を備える、請求項９に記載のカートリッジ。
【請求項１１】
前記組成物がゲルである、請求項１〜１０のいずれか１項に記載のカートリッジ。
【請求項１２】
請求項１〜１１のいずれか１項に記載のカートリッジと、
前記ハウジングの少なくとも前記閉端を受容するように構成された容器と、前記容器に動作可能に結合され、前記容器を加熱するように構成されたヒーターとを備える、エアロゾル発生装置とを備える、システム。
【請求項１３】
前記ヒーターが細長い発熱体を含み、前記システムが前記容器を備える熱伝導性のアダプターを備え、前記アダプターが前記発熱体から前記容器へと熱を伝達するよう構成される、請求項１２に記載のシステム。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
均質化したアルカロイド含有材料を含むシートを調製するための方法であって、前記方法が、
−  アルカロイド含有材料の粒子および澱粉と、水、エアロゾル形成体および結合剤からなる群から選択される構成成分を含むある量の第一の添加剤とを含む混合物を形成することであって、前記第一の添加剤の量が、前記混合物の総重量の約０．１重量パーセント〜約５０重量パーセントである、形成することと、
−  前記混合物に、前記混合物１キログラムあたり少なくとも約２０ワット時の機械的エネルギーを適用することと、
−  前記混合物を、水、エアロゾル形成体、および結合剤からなる群から選択される構成成分を含むある量の第二の添加剤と組み合わせてスラリーを形成することであって、
−  前記混合物を、前記スラリーの総重量の約５５重量パーセント〜約９０重量パーセントの量の水と組み合わせることを含む、形成することと、
−  前記スラリーからシートを形成することと、を含む方法。
【請求項２】
前記機械的エネルギーが前記混合物に適用された後に前記第二の添加剤が添加される、請求項１に記載の方法。
【請求項３】
前記アルカロイド含有材料の前記粒子が、約０．０２ミリメートル〜約０．３ミリメートルの平均サイズを有する、請求項１〜２のいずれか一項に記載の方法。
【請求項４】
混合物を形成する前記工程が、前記混合物の乾燥質量基準で重量当たり約２パーセント〜約３０パーセントの量の還元糖を添加することを含む、請求項１〜３のいずれか一項に記載の方法。
【請求項５】
前記混合物に機械的エネルギーを適用する前記工程が、
前記混合物を押出成形することを含む、請求項１〜４のいずれか一項に記載の方法。
【請求項６】
前記混合物に前記混合物１キログラム当たり少なくとも約２０ワット時の機械的エネルギーを適用する前記工程が、約１９０℃以下の温度で実施される、請求項１〜５のいずれか一項に記載の方法。
【請求項７】
前記混合物に前記混合物１キログラム当たり少なくとも約２０ワット時の機械的エネルギーを適用する前記工程が、約１０秒〜約８０秒の適用時間の間実施される、請求項１〜６のいずれか一項に記載の方法。
【請求項８】
前記混合物を、水、エアロゾル形成体、および結合剤からなる群から選択される構成成分を含むある量の第二の添加剤と組み合わせてスラリーを形成する前記工程が、前記スラリーの乾燥質量基準で重量当たり約１５０パーセント〜約６００パーセントの量の第二の添加剤を添加することを含む、請求項１〜７のいずれか一項に記載の方法。
【請求項９】
前記混合物を、水、エアロゾル形成体、および結合剤からなる群から選択される構成成分を含むある量の第二の添加剤と組み合わせてスラリーを形成する前記工程が、前記スラリーが、乾燥質量基準で約４５パーセント〜約９３パーセントの前記アルカロイド含有材料の前記粒子を含むようなものである、請求項１〜８のいずれか一項に記載の方法。
【請求項１０】
前記混合物を、水、エアロゾル形成体、および結合剤からなる群から選択される構成成分を含むある量の第二の添加剤と組み合わせてスラリーを形成する前記工程が、前記スラリーが、乾燥質量基準で約１パーセント〜約１０パーセントの前記結合剤を含むようなものである、請求項１〜９のいずれか一項に記載の方法。
【請求項１１】
前記混合物を、水、エアロゾル形成体、および結合剤からなる群から選択される構成成分を含むある量の第二の添加剤と組み合わせてスラリーを形成する前記工程が、前記スラリーが、乾燥質量基準で約５パーセント〜約３０パーセントの前記エアロゾル形成体を含むようなものである、請求項１〜１０のいずれか一項に記載の方法。
【請求項１２】
前記混合物を、水、エアロゾル形成体、および結合剤からなる群から選択される構成成分を含むある量の第二の添加剤と組み合わせてスラリーを形成する前記工程が、前記スラリーが、乾燥質量基準で約１５０パーセント〜約５００パーセントの水を含むようなものである、請求項１〜１１のいずれか一項に記載の方法。
【請求項１３】
−  セルロース繊維を、前記アルカロイド含有材料に添加することを含む、請求項１〜１２のいずれか一項に記載の方法。
【請求項１４】
前記アルカロイド含有材料がたばこ材料である、請求項１〜１３のいずれか一項に記載の方法。
【請求項１５】
前記均質化したアルカロイド含有材料を含む前記シートを乾燥する工程を含む、請求項１〜１４のいずれか一項に記載の方法。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
アルカロイドを含有する材料の調製のための方法であって、
−還元糖と、アルカロイドを含有する材料の粒子とを含む混合物を形成すること、および
−前記混合物を押出成形することであって、押出成形することが、
−前記混合物を押出成形機に供給することと、
−前記混合物を、摂氏約１９０度以下の第一の温度に加熱することと、
−前記混合物を、前記第一の温度から摂氏約７０度以下の第二の温度に冷却することと、
−押出成形された混合物を前記押出成形機から排出することと、を含む押出成形することと、を含み、
−前記混合物が、約１０秒〜約８０秒から成る前記押出成形機内の滞留時間を有する、方法。
【請求項２】
前記押出成形する工程前の前記混合物が、前記混合物の乾燥重量基準で重量当たり約２パーセント〜約３０パーセントの還元糖を含む、請求項１に記載の方法。
【請求項３】
前記還元糖が、グルコース、フルクトース、キシロース、リボース、ガラクトース、およびこれらの混合物から選択される、請求項１〜２のいずれか一項に記載の方法。
【請求項４】
前記混合物が、前記押出成形する工程の前に重量当たり約２パーセント〜約３０パーセントの含水量を有する、請求項１〜３のいずれか一項に記載の方法。
【請求項５】
前記第一の温度が摂氏約９０度〜摂氏約１９０度である、請求項１〜４のいずれか一項に記載の方法。
【請求項６】
前記第二の温度が摂氏約３０度〜摂氏約７０度である、請求項１〜５のいずれか一項に記載の方法。
【請求項７】
加熱が前記押出成形機の第一部内で実施され、また冷却が前記押出成形機の第二部で実施され、前記押出成形機の前記第二部が、押出成形の方向で前記押出成形機の前記第一部の下流にある、請求項１〜６のいずれか一項に記載の方法。
【請求項８】
前記混合物が、約２秒〜約６０秒から成る前記押出成形機の前記第一部内の滞留時間を有する、請求項７に記載の方法。
【請求項９】
前記混合物が、約２秒〜約６０秒から成る前記押出成形機の前記第二部内の滞留時間を有する、請求項７または８に記載の方法。
【請求項１０】
前記押出成形プロセスが、前記混合物を冷却する前記工程の前に約２秒〜約５５秒の滞留時間の間、前記混合物を前記第一の温度に保つことを含む、請求項１〜９のいずれか一項に記載の方法。
【請求項１１】
押出成形が、前記混合物のキログラム当たり約１５０ワット時〜約３５０ワットワット時の機械的エネルギーを加えることによって実施される、請求項１〜１０のいずれか一項に記載の方法。
【請求項１２】
−スラリーを形成するために、アルカロイドを含有する前記材料を結合剤と組み合わせることと、
−スラリーを均質化することと、
−スラリーをキャスティングすることと、を含む請求項１〜１１のいずれか一項に記載の方法。
【請求項１３】
アルカロイドを含有する材料の調製のための方法であって、
−アルカロイドを含有する材料の粒子と還元糖との混合物を形成すること、および
−前記混合物を押出成形することであって、押出成形することが、
−前記混合物を押出成形機に供給することと、
−前記混合物を第一の温度に加熱することと、
−前記混合物を、前記第一の温度より低い第二の温度に冷却することと、
−前記第二の温度にて前記押出成形機から前記混合物を排出することと、を含む押出成形すること、を含み、
前記冷却が、約２秒〜約６０秒から成る時間で実施され、かつ前記混合物が、約１０秒〜約８０秒から成る前記押出成形機内の滞留時間を有する、方法。
【請求項１４】
押出成形する前記工程前の前記混合物が、前記混合物の乾燥重量基準で重量当たり約２パーセント〜約３０パーセントの還元糖を含む、請求項１３に記載の方法。
【請求項１５】
前記還元糖がグルコース、フルクトース、キシロース、リボース、ガラクトース、およびこれらの混合物から選択される、請求項１３または１４に記載の方法。
【請求項１６】
前記混合物が、押出成形する前記工程の前に重量当たり約２パーセント〜約３０パーセントの含水量を有する、請求項１３〜１５のいずれか一項に記載の方法。
【請求項１７】
前記第一の温度が摂氏約１９０度以下である、請求項１３〜１６のいずれか一項に記載の方法。
【請求項１８】
前記第二の温度が摂氏約７０度以下である、請求項１３〜１７のいずれか一項に記載の方法。
【請求項１９】
加熱が前記押出成形機の第一部で実施され、かつ冷却が前記押出成形機の第二部で実施され、前記押出成形機の前記第二部が、押出成形の方向で前記押出成形機の前記第一部の下流にある、請求項１３〜１８のいずれか一項に記載の方法。
【請求項２０】
前記押出成形プロセスが、前記混合物を冷却する前記工程の前に約２秒〜約５５秒の滞留時間の間、前記混合物を前記第一の温度に保つことを含む、請求項１３〜１９のいずれか一項に記載の方法。
【請求項２１】
押出成形が、前記混合物のキログラム当たり約１５０ワット時〜約３５０ワット時の機械的エネルギーを加えることによって実施される、請求項１３〜２０のいずれか一項に記載の方法。
【請求項２２】
−スラリーを形成するために、アルカロイドを含有する前記材料を結合剤と組み合わせることと、
−前記スラリーを均質化することと、
−前記スラリーをキャスティングすることと、を含む、請求項１３〜２１のいずれか一項に記載の方法。
【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
単離および精製された乳酸菌であるラクトバチルスパラカゼイＰＳ２３（ＰＳ２３）であって、ライプニッツ研究所ＤＳＭＺ・ドイツ微生物細胞培養コレクションにブダペスト条約に基づき寄託され、ＤＳＭ受託番号３２３２２が付与されているＰＳ２３。
【請求項２】
ＰＳ２３細胞、および、任意で食用担体または医薬的に許容される担体を含む組成物。
【請求項３】
前記ＰＳ２３細胞は、生存細胞または死細胞である細菌全体の形態で用いられ得る、請求項２に記載の組成物。
【請求項４】
経口投与に適した形態を成す、請求項２に記載の組成物。
【請求項５】
固体、半固体、液体、および、粉末の顆粒の形態を成す、請求項４に記載の組成物。
【請求項６】
（ｉ）老化を遅延させる（老化防止）、（ｉｉ）免疫調節活性を向上させる、（ｉｉｉ）アレルギーを抑制、予防、または、治療する、（ｉｖ）炎症を抑制、予防、または、治療する、（ｖ）腸炎症に関連する慢性疾患を予防または治療する、および／または、（ｖｉ）気分障害もしくは神経症状を予防および／または治療する、または、被検体のニューロンのアポトーシスもしくは神経変性に関連する疾患を治療もしくは予防するための、請求項１に記載の乳酸菌を含む製剤。
【請求項７】
前記老化防止は、免疫老化を予防もしくは遅延させる、サルコペニアを予防もしくは遅延させる、または、腸バリアもしくは腸管免疫を高めることを含む、請求項６に記載の製剤。
【請求項８】
前記ＰＳ２３は、免疫系の年齢に関係する劣化または免疫老化、および、炎症加齢に関連する慢性疾患を予防または治療できる、請求項６に記載の製剤。
【請求項９】
前記ＰＳ２３は、サルコペニアを予防または遅延させることができる、請求項６に記載の製剤。
【請求項１０】
ニューロンのアポトーシスまたは神経変性に関連する疾患は、卒中、アルツハイマー病、ハンチントン病、パーキンソン病、ピック病、クロイツフェルト・ヤコブ病、パーキンソン−ＡＬＳ−痴呆複合症、ウィルソン病、多発性硬化症、進行性核上性麻痺、神経障害性疼痛関連の双極性障害、大脳皮質基底核変性症、統合失調症、注意欠陥・多動性障害（ＡＤＨＤ）、認知症、筋萎縮性側索硬化症、網膜疾患、てんかん、脳卒中、一過性脳虚血発作、心筋虚血、筋虚血、脳に対する血流の延長停止に関する手術法により生じる虚血、頭部外傷、脊髄損傷、低酸素症、および、うつ病からなる群から選ばれる、請求項６に記載の製剤。
【請求項１１】
前記ＰＳ２３は、学習能力、記憶力、および、自発運動活性を高めることができる、請求項６に記載の製剤。
【請求項１２】
前記ＰＳ２３は、ストレス関連の疾患を予防または治療できる、請求項６に記載の製剤。
【請求項１３】
前記ストレス関連の疾患は、慢性的な脳の炎症、脳血管事故、老化、および、神経変性病を含む、請求項１２に記載の製剤。
【請求項１４】
前記ＰＳ２３は、睡眠の質および効率を高めることができる、請求項６に記載の製剤。
【請求項１５】
前記腸炎症に関連する慢性疾患は、炎症性腸疾患、および、炎症性腸症候群を含む、請求項６に記載の製剤。
【請求項１６】
請求項１に記載の乳酸菌は、約１×１０7〜約１×１０13細胞／日の量の加熱殺菌したＰＳ２３細胞として、または、約１×１０7〜約１×１０13ＣＦＵ／日の量の生きたＰＳ２３細胞として投与される、請求項６に記載の製剤。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
飲料分注デバイスであって、
飲料容器の首部と係合する基部と、
上部位置と下部位置との間で前記基部に移動可能に装着され、本体に取り付けられ、及び前記本体から延在する針を有する本体であって、前記針は、飲料容器の栓を通して挿入されて、加圧ガスを前記飲料容器に導入し、前記容器から飲料を抽出するように配置される、本体と、
前記容器首部が前記基部によって係合されるまで前記本体を前記上部位置に解放可能に係止するラッチであって、前記ラッチは、前記上部位置から前記下部位置への移動のために前記本体を解放して、前記基部の前記容器首部との係合に応じて前記栓を通して前記針を挿入するように配置される、ラッチと、を備える飲料分注デバイス。
【請求項２】
前記基部は、前記基部によって係合されたときに前記容器首部の上部に接触するように配置された止め具を含み、前記ラッチは、前記容器首部の前記上部が前記止め具に接触したときに移動のために前記本体を解放するように構成される、請求項１に記載のデバイス。
【請求項３】
前記止め具は、前記基部によって係合された容器首部の上部に接触し、前記基部に対する前記本体の下向きの移動を伴う前記栓を通る前記針の移動を誘導するように配置される針ガイドを含む、請求項２に記載のデバイス。
【請求項４】
前記基部は、前記容器首部が受容され、締め付け具によって係合される受容空間を規定する締め付け具を含み、前記ラッチは、前記容器首部が前記受容空間に完全に受容されたときに、前記本体を解放して前記下部位置に移動するように配置される、請求項１に記載のデバイス。
【請求項５】
前記締め付け具は、前記容器首部のための前記受容空間を規定する少なくとも１つの締め付けアームを含み、前記少なくとも１つのアームは、ばね付勢されて、前記基部に対して移動し、前記受容空間に完全に受容されたときに前記容器首部に係合力を加える、請求項４に記載のデバイス。
【請求項６】
前記少なくとも１つの締め付けアームは、互いに向かって移動するようにばね付勢されており、前記締め付けアーム間の前記容器首部と係合する２つの締め付けアームを含む、請求項５に記載のデバイス。
【請求項７】
前記少なくとも１つの締め付けアームは、前記締め付け具の底部において前記受容空間への入口開口部を規定し、前記締め付け具は、前記容器首部を前記入口開口部に挿入し、前記締め付け具を前記容器首部に対して下向きに移動させて、前記少なくとも１つの締め付け具を前記ばね付勢に抗して移動させることによって前記容器首部を前記受容空間に完全に受容するように配置される、請求項５に記載のデバイス。
【請求項８】
前記少なくとも１つの締め付けアームは、前記受容空間に対して内向きかつ上向きに傾斜する下部を備えた容器係合面を含み、前記下部は、前記締め付け具が前記容器首部に下向きに押し付けられて前記受容空間に前記容器首部を受容し、前記少なくとも１つの締め付け具が前記容器首部に係合力を加える間、前記少なくとも１つの締め付け具を前記容器首部から離れる方向へ移動させることを可能にするように配置される、請求項７に記載のデバイス。
【請求項９】
前記容器係合面の前記下部は、前記下部が前記少なくとも１つの締め付けアームに半径方向外向きの力を加えて、前記締め付け具が前記容器首部に対して下向きに移動されて前記受容空間に前記容器首部を受容すると、前記少なくとも１つの締め付けアームを前記容器首部のリップから離れる方向へ移動させるように、前記容器首部の前記リップに接触するように配置される、請求項８に記載のデバイス。
【請求項１０】
前記容器係合面は、前記少なくとも１つの締め付けアーム上で垂直に延在する、請求項８に記載のデバイス。
【請求項１１】
前記容器係合面は、前記受容空間に対して外向きかつ上向きに傾斜する前記下部の上方に位置付けられた上部を含み、前記上部は、前記締め付け具が前記容器首部に対して上向きに引かれると、前記締め付け具を完全に受容された前記容器首部から係合解除するように配置される、請求項８に記載のデバイス。
【請求項１２】
前記上部は、少なくとも１つの締め付けアームに半径方向外向きの力を加えて、前記締め付け具が前記容器首部に対して上向きに移動されると、前記少なくとも１つの締め付け具を前記ばね付勢に抗して、及び前記容器首部から離れる方向へ移動させる、請求項１１に記載のデバイス。
【請求項１３】
前記容器係合面は、前記受容空間にあるときに、前記容器首部に接触し、前記容器首部に半径方向内向きの力を加えるように配置される、請求項１１に記載のデバイス。
【請求項１４】
前記基部は、前記容器首部の上部に接触するように前記受容空間の上端に配置された止め具を含み、前記容器首部は、前記容器首部の前記上部が前記止め具に接触するとき、前記受容空間に完全に受容される、請求項４に記載のデバイス。
【請求項１５】
前記針に加圧ガスを送達するように配置された加圧ガスの供給源をさらに備える、請求項１に記載のデバイス。
【請求項１６】
前記針への加圧ガスの流れを制御するように配置された弁をさらに備える、請求項１５に記載のデバイス。
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
αシヌクレインと結合する抗体又はその抗原結合断片であって、
該抗体が、
ａ．ｉ．配列番号１を含むＣＤＲ−Ｌ１、
ｉｉ．配列番号２を含むＣＤＲ−Ｌ２及び
ｉｉｉ．配列番号３を含むＣＤＲ−Ｌ３
を含む軽鎖可変領域、並びに
ｂ．ｉ．配列番号４を含むＣＤＲ−Ｈ１、
ｉｉ．配列番号５を含むＣＤＲ−Ｈ２及び
ｉｉｉ．配列番号６を含むＣＤＲ−Ｈ３
を含む重鎖可変領域
を含む、抗体又はその抗原結合断片。
【請求項２】
αシヌクレインと、配列番号１０における、残基Ｅ１２３、Ｙ１２５、Ｅ１２６、Ｍ１２７、Ｐ１２８、Ｓ１２９、Ｅ１３０及びＥ１３１を含むエピトープと結合し、該エピトープが、任意選択で、Ａ１２４及びＧ１３２を含む、請求項１に記載の抗体又はその抗原結合断片。
【請求項３】
（ａ）αシヌクレイン繊維によって誘導されるαシヌクレインの凝集を防止する、
（ｂ）モノマーとしてのαシヌクレイン、及び繊維状のαシヌクレインと結合することが可能である、
（ｃ）繊維状のαシヌクレインに対してよりも、モノマーαシヌクレインに対する少なくとも１０倍高い解離定数（ＫＤ）を特徴とする、モノマーαシヌクレインと比較して繊維状のαシヌクレインに対してより高い結合親和性を有する、
（ｄ）３００ｐＭ以下の繊維状のαシヌクレインに対する（ＫＤ）を有する、ならびに／あるいは
（ｅ）ベータシヌクレイン及び／又はガンマシヌクレインと結合しない、請求項１又は２に記載の抗体又はその抗原結合断片。
【請求項４】
前記抗体が、キメラ、又はヒト化抗体である、請求項１から３までのいずれか一項に記載の抗体又はその抗原結合断片。
【請求項５】
（ａ）前記抗体が全長抗体であり、前記全長抗体は、任意にＩｇＧ１、ＩｇＧ４又はＩｇＧ４Ｐから選択され、あるいは
（ｂ）前記抗原結合断片は、Ｆａｂ、Ｆａｂ’、Ｆ（ａｂ’）２、ｓｃＦｖ又はｄＡｂから選択される、請求項１から４までのいずれか一項に記載のその抗原結合断片。
【請求項６】
ａ．配列番号１５を含む軽鎖可変領域及び配列番号３１を含む重鎖可変領域、又は
ｂ．配列番号１７を含む軽鎖及び配列番号３３を含む重鎖
を含む、請求項１から５までのいずれか一項に記載の抗体又はその抗原結合断片。
【請求項７】
請求項１から６までのいずれか一項に記載の抗体又はその抗原結合断片をコードする単離ポリヌクレオチド。
【請求項８】
前記ポリヌクレオチドが、
ａ．ｉ．配列番号１６に対して少なくとも９０％同一である、又は
ｉｉ．配列番号１６を含む、又は
ｉｉｉ．本質的に配列番号１６からなる、
軽鎖可変領域、
ｂ．ｉ．配列番号３２に対して少なくとも９０％同一である、又は
ｉｉ．配列番号３２を含む、又は
ｉｉｉ．本質的に配列番号３２からなる
重鎖可変領域、
ｃ．ｉ．配列番号１８に対して少なくとも９０％同一である、又は
ｉｉ．配列番号１８を含む、又は
ｉｉｉ．本質的に配列番号１８からなる、
軽鎖、
ｄ．ｉ．配列番号３４に対して少なくとも９０％同一である、又は
ｉｉ．配列番号３４を含む、又は
ｉｉｉ．本質的に配列番号３４からなる、
重鎖
をコードする、請求項７に記載の単離ポリヌクレオチド。
【請求項９】
請求項７又は８に記載の１つ又は複数のポリヌクレオチドを含むクローニング又は発現ベクター。
【請求項１０】
ａ．請求項７若しくは８に記載の１つ若しくは複数のポリヌクレオチド、又は
ｂ．請求項９に記載の１つ若しくは複数の発現ベクター
を含む、宿主細胞。
【請求項１１】
請求項１から６までのいずれか一項に記載の１つによる抗体又はその抗原結合断片の生産のための方法であって、請求項１０に記載の宿主細胞を、抗体又はその抗原結合断片を生産するのに適した条件下で培養すること及び前記抗体又はその抗原結合断片を単離することを含む、方法。
【請求項１２】
請求項１から６までのいずれか一項に記載の抗体又はその抗原結合断片及び１つ又は複数の薬学的に許容される担体、賦形剤又は希釈剤を含む医薬組成物。
【請求項１３】
請求項１から６までのいずれか一項に記載の抗体又はその抗原結合断片、または請求項１２に記載の医薬組成物を含む、治療剤。
【請求項１４】
請求項１から６までのいずれか一項に記載の抗体又はその抗原結合断片、または請求項１２に記載の医薬組成物を含む、１つ又は複数のシヌクレイノパチーの処置剤であり、
任意に、前記シヌクレイノパチは、パーキンソン病（ＰＤ）（パーキンソン病の特発性及び遺伝性形態を含む）、レビー小体型認知症（ＤＬＢ）、びまん性レビー小体病（ＤＬＢＤ）、アルツハイマー病のレビー小体異型（ＬＢＶＡＤ）、アルツハイマー病及びパーキンソン病の合併、多系統萎縮症（ＭＳＡ）及び脳内鉄沈着を伴う神経変性１型（ＮＢＩＡ−１）から選択され、
好ましくは、前記シヌクレイノパチーがパーキンソン病である、処置剤。
【請求項１５】
αシヌクレイノパチーの診断において、好ましくは、パーキンソン病の診断において使用するための、請求項１から６までのいずれか一項に記載の抗体又はその抗原結合断片を含む医薬組成物。
【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
結合剤を、それらの溶液中の溶解度および／または自己会合に対する耐性に従って区別またはランク付けし、および／または溶液中でより高い溶解度および／または自己会合に対するより高い耐性を呈する結合剤を富化する方法であって、
（ｉ）各々が結合剤をコードするＤＮＡを含む高等真核細胞クローンのライブラリを提供することと、
（ｉｉ）前記結合剤が前記細胞表面に提示される、前記結合剤の発現のための条件下で、前記クローンをインビトロで培養することと、
（ｉｉｉ）前記クローン上での前記結合剤の表面提示レベルを、任意選択で、検出可能な（例えば、蛍光）標識が組み込まれた薬剤により前記結合剤を標識することにより決定することと、
（ｉｖ）他のクローンと比較してより高い結合剤の表面提示を呈する１つ以上のクローンを選択することと、
（ｖ）前記１つ以上の選択されたクローンによりコードされる結合剤を、溶液中の溶解度および／または自己会合に対する耐性が良好であるものとして特定することと、任意選択で、前記選択されたクローンを、１つ以上のさらなるスクリーニングステップに使用するために提供することと、を含む、方法。
【請求項２】
前記クローン上での前記結合剤の表面提示レベルを、検出可能な（例えば、蛍光）標識が組み込まれた薬剤により前記結合剤を標識することにより決定することを含み、前記薬剤が前記結合剤の定常領域に結合し、任意選択で、前記結合剤がＦｃ領域を含み、前記薬剤が前記Ｆｃ領域に結合する、請求項１に記載の方法。
【請求項３】
細胞を、前記細胞上の結合剤の前記表面提示のレベルに従って、収集画分と廃棄画分とに選別し、それにより、所定の閾値を上回る表面提示を示す細胞が前記収集画分に選別され、前記所定の閾値を下回る表面提示を示す細胞が廃棄画分に選別される、請求項１又は２に記載の方法。
【請求項４】
廃棄画分が、少なくとも１０ｍｇ／ｍｌの臨界濃度を有する比較ポリペプチドを発現する細胞を含み、前記収集画分が、前記廃棄画分中の前記比較ポリペプチドよりも少なくとも１．５倍高い臨界濃度を有する結合剤を発現する細胞を含む、請求項３に記載の方法。
【請求項５】
ステップ（ｉｉ）が、前記ライブラリの前記クローンを１つの容器内で混合物として培養することを含む、請求項１〜４のいずれか一項に記載の方法。
【請求項６】
ステップ（ｉｉ）が、前記ライブラリの各クローンを別個の容器内で培養することを含む、請求項１〜４のいずれか一項に記載の方法。
【請求項７】
前記結合剤が親結合剤の配列変異型である、請求項１〜６のいずれか一項に記載の方法。
【請求項８】
前記親結合剤が、溶液中の溶解度または自己会合に対する耐性の改善が必要であると特定されている、請求項７に記載の方法。
【請求項９】
前記方法が、前記親結合剤の配列変異型を生成することと、前記配列変異型をコードするＤＮＡを高等真核細胞の細胞ＤＮＡに組み入れて、前記結合剤をコードするＤＮＡを含む細胞クローンのライブラリを提供することと、を含み、
任意選択で、前記方法が、前記親の前記ポリペプチド配列を分析することと、自己会合を促進し、かつ／または溶解度を低下させることが予測される１つ以上のアミノ酸残基を特定することと、前記１つ以上のアミノ酸残基において変異を生成することと、を含む、請求項７または請求項８に記載の方法。
【請求項１０】
前記親結合剤が、リン酸緩衝生理食塩溶液（ＰＢＳ）中５０ｍｇ／ｍｌ未満の臨界濃度を有し、かつ／またはリン酸緩衝生理食塩溶液（ＰＢＳ）中５０ｍｇ／ｍｌ未満の溶解限度を有し、
かつ／または前記方法が、前記１つ以上の選択されたクローンによりコードされた結合剤を、前記親結合剤のものよりも少なくとも１．５倍高い臨界濃度および／もしくは溶解限度を有すると特定することを含む、請求項７〜９のいずれか一項に記載の方法。
【請求項１１】
結合剤の親水性を、前記細胞クローン上のそれらの表面提示レベルに基づいて予測すること、および／または１つ以上の選択されたクローンの結合剤を、より親水性であると特定することを含む、請求項１〜１０のいずれか一項に記載の方法。
【請求項１２】
前記結合剤をコードする前記ＤＮＡの発現が、強力なプロモーターの制御下にある、請求項１〜１１のいずれか一項に記載の方法。
【請求項１３】
前記１つ以上の選択されたクローンから、前記結合剤をコードする前記ＤＮＡの配列を決定することと、
前記結合剤をコードする単離された核酸を提供することと、を含む、請求項１〜１２のいずれか一項に記載の方法。
【請求項１４】
前記１つ以上の選択されたクローンから、前記結合剤をコードする前記ＤＮＡの配列を決定することと、
前記結合剤の可溶形態における分泌のための条件下、インビトロで、宿主細胞において、前記結合剤をコードするＤＮＡを発現させることと、をさらに含む、請求項１〜１３のいずれか一項に記載の方法。
【請求項１５】
薬学的に許容される賦形剤を含む組成物に前記結合剤を製剤化することを含む、請求項１４に記載の方法。